(57)【特許請求の範囲】
【請求項１】
文字放送番組の受信信号から第１の文字情報または図形情報の少なくともいずれか一方を含む、ページ単位の文字図形情報を抽出する抽出部と、
前記抽出部により抽出された前記文字図形情報を記憶する情報メモリと、
ユーザにより指定されたページの前記文字図形情報を、前記情報メモリから読み出す制御部と、
前記制御部により読み出された前記文字図形情報に対応する表示イメージを記憶する表示メモリと、
前記表示メモリに記憶されている前記表示イメージを基に、前記表示イメージを表示させる映像信号を生成する表示信号生成部と、
前記表示信号生成部からの前記映像信号に対応する文字または図形を表示する表示部と
を有する情報表示装置において、
前記文字図形情報に関連する第２の文字情報の表示イメージを記憶するスクロールメモリと、
前記スクロールメモリに記憶されている前記表示イメージに対して、予め定められた文字長の読み出し領域を設定し、前記第２の文字情報の前記表示イメージがスクロール表示されるように、前記読み出し領域を順次ずらして前記表示イメージを読み出し、読み出した前記表示イメージを、前記表示イメージのスクロール領域に対応する、前記表示メモリの領域に書き込むスクロール処理手段と
を備えることを特徴とする情報表示装置。
【請求項２】
前記スクロール領域には、現在、前記表示部に表示されている前記文字放送番組に関する情報が表示される
ことを特徴とする請求項１に記載の情報表示装置。
【請求項３】
前記スクロール領域には、自分自身の動作状態に関する情報が表示される
ことを特徴とする請求項１に記載の情報表示装置。
【請求項４】
前記スクロール領域には、前記文字放送番組を受信する受信部、前記メモリ、前記表示信号生成部、および前記表示部からなる文字放送受信機の操作の案内情報が表示される
ことを特徴とする請求項１に記載の情報表示装置。
【発明の詳細な説明】
【０００１】
【産業上の利用分野】
本発明は、情報表示装置に関し、例えば文字放送受信機等に用いて好適な情報表示装置に関する。
【０００２】
【従来の技術】
従来より、放送電波を有効に利用するために、テレビジョン放送電波の時間的な隙間を利用して、ニュース、天気予報などの文字図形情報が文字放送番組として放送されている。
【０００３】
以下、この文字放送を受信できる文字放送受信機について説明する。図７は従来の文字放送受信機の一例の構成を示すブロック図である。アンテナ２は放送電波を受信し、対応する信号を選局回路３に供給するようになされている。選局回路３はアンテナ２より供給された信号から所定のチャンネルを選局し、対応する映像信号および音声信号を出力するようになされている。
【０００４】
文字放送デコーダ１は、選局回路３より供給された映像信号から、文字放送データのみを抽出する抜き取り回路９、プログラムを記憶するＲＯＭ１１、ＲＯＭ１１に記憶されたプログラムに従って、各部を制御するマイクロプロセッサ８、マイクロプロセッサ８の作業用または文字放送データ記憶用のＲＡＭ１０、表示イメージを記憶する表示メモリ１２、表示メモリ１２に記憶された表示イメージを映像信号に変換するための表示処理回路１３、文字放送データに含まれる付加音データを音声信号に変換する付加音デコーダ１４、文字放送データに含まれる文字コードを表示イメージに変換する文字発生器１５より構成され、選局回路３からの映像信号に含まれる文字放送データまたはマイクロプロセッサ８により生成された文字データを出力するようになされている。
【０００５】
音声復調増幅回路４は、選局回路３より供給された音声信号を復調し、増幅するようになされている。また、輝度増幅色復調回路５は、選局回路３より供給された映像信号の輝度を増幅するとともに、色を復調するようになされている。
【０００６】
映像切り替え回路６は、輝度増幅色復調回路５を介して供給されるテレビジョン放送の映像信号と、文字放送デコーダ１を介して供給される所定の文字または図形に対応する映像信号を切り替えて出力するようになされている。映像出力回路７は、映像切り替え回路６より供給された映像信号を出力する。
【０００７】
音声切り替え回路１６は、テレビジョン放送の音声信号と、付加音デコーダ１４からの出力音声信号を切り替えて出力するようになされている。音声出力回路１７は、音声切り替え回路１６より供給された音声信号を出力する。
【０００８】
文字放送受信機の操作パネルキー（パネルキー）１８は、文字放送デコーダ１に対して所定の指令を行うことができるようになされている。リモートコントロール信号発生器（以下、リモコン信号発生器という）２０は、所定の操作に従って、所定のリモートコントロール信号（以下、リモコン信号という）を発生する。リモコン信号受信回路１９は、リモコン信号発生器２０からのリモコン信号を受信し、それを文字放送デコーダ１に供給する。
【０００９】
次にその動作について説明する。テレビジョン放送を見る場合は、従来のテレビジョン受信機の動作と同一であり、文字放送受信機の操作パネルキー１８、又は、リモコン信号発生器２０を操作することによって、選局回路３に対し、受信したテレビジョン放送の所定のチャンネルを選択するよう指令する。選局回路３は、操作パネルキー１８またはリモコン信号発生器２０からの指令に基づいて、所定のチャンネルを選局する。
【００１０】
選局回路３によって選局されたテレビジョン放送の所定のチャンネルに対応する信号は音声復調増幅回路４、輝度増幅色復調回路５において所定の処理が施され、音声切り替え回路１６、映像切り替え回路６を通って映像出力回路７、音声出力回路１７よりそれぞれ映像信号、音声信号として取り出される。
【００１１】
一方、文字放送を見る場合、まず、文字放送受信機の操作パネルキー１８、又は、リモコン信号発生器２０を操作することにより、文字放送デコーダ１に対して文字放送を表示するよう指令する。
【００１２】
この指令は文字放送デコーダのマイクロプロセッサ８によって受信され、マイクロプロセッサ８により、抜き取り回路９により選局回路３より出力された映像信号から抜き取られた文字放送データが、文字放送データ記憶用ＲＡＭ１０に供給され、記憶させる。そして、そのデータからユーザが指定した文字放送番組の特定のページのデータのみをデコードし、文字放送データに含まれる図形情報は表示メモリ１２に書き込み、文字放送データに含まれる文字情報は文字発生器１５によって文字イメージに変換して表示メモリ１２に書き込む。
【００１３】
このようにして表示メモリ１２に書き込まれた図形情報および文字情報の表示イメージは、表示処理回路１３によって文字放送デコーダ１の映像信号出力として取り出される。また、ユーザの指定した文字放送番組の特定のページの文字放送データに含まれる付加音データは、付加音デコーダ１４によって音声信号に変換され、文字放送デコーダ１の音声信号出力として取り出される。
【００１４】
このとき、ユーザが指定した文字放送番組の特定のページの映像信号は、まず、映像切り替え回路６によって文字放送デコーダ１からの映像信号が取り出され、次に、それが映像出力回路７に入力されることにより、文字放送受信機からの映像信号として取り出される。同様に、ユーザが指定した文字放送番組の特定のページの音声信号は、まず、音声切り替え回路１６によって文字放送デコーダ１からの音声信号が取り出され、次に、それが音声出力回路１７に入力されることにより、文字放送受信機からの音声信号として取り出される。
【００１５】
このようにして取り出された映像信号は、例えば図示せぬＣＲＴ等の表示装置に供給され、対応する文字または図形が表示される。一方、音声信号は、例えば図示せぬスピーカに供給され、出力される。
【００１６】
【発明が解決しようとする課題】
ところで、現行の文字放送データの文字情報が文字発生器１５によって表示イメージに変換された時、その表示イメージ中の１行に表示できる文字の数は、標準文字として規定される横１６ドット、縦２４ドットの文字では最大１５文字、横８ドット、縦２４ドットとして規定される中型文字、および横８ドット、縦１２ドットで規定される小型文字では最大３１文字である。
【００１７】
このため、上述したような文字放送受信機において、操作性を向上させるために文字放送受信機の映像信号出力から得られる文字放送番組の所定の画面イメージ上に、文字放送番組の文字放送データに含まれている文字情報以外の文字情報（例えば、現在表示している文字放送番組に関する情報、即ち文字放送番組が放送されているチャンネル番号、放送局名、表示している文字放送番組番号、ページ番号、総ページ番号などの文字列や、文字放送受信機の動作状態を示す文字列、さらに、ユーザに対して文字放送受信機の操作の案内を示す文字列など）を上書きした場合、その文字数が多くなればなるほど、文字放送データに含まれている文字情報以外の文字情報が占める割合が増え、文字放送データの文字図形イメージが失われてしまう課題があった。
【００１８】
さらに、このことは、文字放送データの文字図形イメージに上書きされる文字放送データに含まれている文字情報以外の文字情報に対応する文字列が長くなればなるほど、文字放送受信機の操作性は向上するが、逆に文字放送データの文字図形イメージが失われる部分が大きくなり、文字放送の情報が正しく、正確に伝わらなくなってしまうという不都合を生じる課題があった。
【００１９】
本発明はこのような状況に鑑みてなされたものであり、文字放送データの文字図形イメージが失われる部分を特定の表示領域として最小限にとどめながら、文字放送データに含まれている文字情報以外の文字情報を、その特定の表示領域内で水平スクロール表示が可能なように表示することができるようにするものである。
【００２０】
【課題を解決するための手段】
請求項１に記載の情報表示装置は、文字放送番組の受信信号から第１の文字情報または図形情報の少なくともいずれか一方を含む、ページ単位の文字図形情報を抽出する抽出部と、抽出部により抽出された文字図形情報を記憶する情報メモリと、ユーザにより指定されたページの文字図形情報を、情報メモリから読み出す制御部と、制御部により読み出された文字図形情報に対応する表示イメージを記憶する表示メモリと、表示メモリに記憶されている表示イメージを基に、表示イメージを表示させる映像信号を生成する表示信号生成部と、表示信号生成部からの映像信号に対応する文字または図形を表示する表示部とを有する情報表示装置において、文字図形情報に関連する第２の文字情報の表示イメージを記憶するスクロールメモリと、スクロールメモリに記憶されている表示イメージに対して、予め定められた文字長の読み出し領域を設定し、第２の文字情報の表示イメージがスクロール表示されるように、読み出し領域を順次ずらして表示イメージを読み出し、読み出した表示イメージを、表示イメージのスクロール領域に対応する、表示メモリの領域に書き込むスクロール処理手段とを備えることを特徴とする。
【００２２】
また、スクロール領域には、現在、表示部に表示されている文字放送番組に関する情報が表示されるようにすることができる。
【００２３】
また、スクロール領域には、自分自身の動作状態に関する情報が表示されるようにすることができる。
【００２４】
また、スクロール領域には、文字放送番組を受信する受信部、メモリ、表示信号生成部、および表示部からなる文字放送受信機の操作の案内情報が表示されるようにすることができる。
【００２６】
【作用】
請求項１に記載の情報表示装置においては、文字放送番組の他に、文字放送番組に関する文字情報が表示部の所定のスクロール領域にスクロールして表示される。従って、表示部に、文字放送番組を表示するとともに、そのスクロール領域に文字放送番組に関する文字情報を制限なく表示することができる。
【００２８】
【実施例】
図１は、本発明の情報表示装置を応用した文字放送受信機の一実施例の構成を示すブロック図である。図１に示した実施例の構成は、基本的には図７に示した従来の文字放送受信機の構成と同様であるが、図１の実施例においては、スクロールメモリ２１（スクロール情報記憶手段）が新たに設けられ、表示処理回路１３に、水平スクロール処理部２２（スクロール領域設定手段、読み出し位置設定手段、読み出し手段）が設けられている。
【００２９】
スクロールメモリ２１は、水平にスクロールして表示させたい文字または図形の表示イメージに対応するデータを記憶するようになされている。そして、水平スクロール処理部２２は、スクロールメモリ２１の所定の領域に記憶されたデータを読み出し、表示メモリ１２の所定の領域に書き込むことができるようになされている。
【００３０】
その他の構成および動作は、上述した場合と同様であるので、その説明は省略する。
【００３１】
以上のように構成された文字放送受信機において、所定の文字または図形を、水平方向にスクロールさせながら表示させる場合の動作について説明する。
【００３２】
マイクロプロセッサ８は、文字放送データ記憶用ＲＡＭ１０に記憶されている文字放送データから現在表示している文字放送番組に関しての情報（例えば文字放送が放送されているテレビチャンネル番号、放送局名、番組番号、ページ番号、総ページ数など）を読み出し、その情報を表示可能な文字列として構成し、その文字列を文字発生器１５によって表示イメージに変換し、スクロールメモリ２１に書き込む。
【００３３】
例えば、現在表示している文字放送番組が「４チャンネル」で放送されている「総ページ数２０ページ」を持つ「マガジン０」の「１２３＃」番組の「第８ページ」である場合、この情報を元に構成できる表示可能な文字列の例として「４ｃｈ  ０／１２３＃  Ｐ０８／２０」のようなものが考えられる。
【００３４】
この文字列を、文字発生器１５で表示イメージに変換した例を図２（ａ）に示す。図２（ａ）は１つの文字が横８ドット、縦１２ドットで構成される表示イメージに変換された場合の例を示した図である。スクロールメモリ２１には、このような表示イメージが記憶される。
【００３５】
表示処理回路１３を構成する水平スクロール部２２は、図２（ｂ）に示すようなスクロールメモリ２１に記憶された表示イメージに、所定の読み出し領域Ａ（縦１２ドット、横６４ドット＝８文字分）を設定し、その中に存在する表示イメージを読み出し、表示メモリ１２の中の所定の領域に書き込む。このとき、スクロールメモリ２１に設定する読み出し領域Ａを、図２（ｂ）乃至図２（ｆ）に示すようにずらすことにより、表示メモリ１２には、スクロールメモリ２１に記憶された表示イメージが順次スクロールしながら書き込まれることになる。
【００３６】
図３は、表示メモリ１２に記憶された表示イメージが、表示処理回路１３によって映像信号に変換された後、ＣＲＴ画面に表示された画面例を示す図である。スクロールメモリ２１に設定された読み出し領域Ａ内に記憶されている表示イメージは、水平スクロール領域Ｆに表示される。この場合、図２（ｄ）に示した読み出し領域Ａ内の表示イメージが表示されている。この画面において、ＣＲＴ画面は表示面Ｃで表され、その中に表示メモリ１２内に記憶された文字放送データに対応する表示イメージが、表示イメージの範囲Ｄ内の文字放送画面Ｅで示される領域内に表示される。
【００３７】
次に、図４に示したフローチャートを参照して、スクロールメモリ２１に記憶させた表示イメージを、ＣＲＴ画面上の水平スクロール領域Ｆにスクロールさせながら表示させる場合の動作について説明する。
【００３８】
最初に、ステップＳ１において、水平スクロール処理部２２は、図２（ｂ）に示すように、スクロールメモリ２１に読み出し領域Ａを設定する。このとき、まず、スクロールメモリ２１の左端と読み出し領域Ａの左端が一致するように、読み出し領域Ａを設定する。
【００３９】
次に、ステップＳ２に進み、水平スクロール処理部２２により、読み出し領域Ａの一部分がスクロールメモリ２１内の表示イメージの範囲を越えたか否かが判定される。読み出し領域Ａの一部分がスクロールメモリ２１内の表示イメージの範囲を越えていないと判定された場合、ステップＳ３に進み、水平スクロール処理部２２により読み出し領域Ａ内の表示イメージが読み出される。一方、読み出し領域Ａの一部分がスクロールメモリ２１内の表示イメージの範囲を越えたと判定された場合、ステップＳ４に進み、読み出し領域Ａ内の表示イメージが読み出され、スクロールメモリ２１内の表示イメージの範囲を越えた部分Ｂが空白文字のイメージで埋められる。
【００４０】
次に、ステップＳ５に進み、ステップＳ３またはステップＳ４において、水平スクロール処理部２２により読み出された表示イメージが、表示メモリ１２内に設定されたＣＲＴ画面での水平スクロール領域Ｆ（図３）に対応する所定の領域に書き込まれる。表示メモリ１２に書き込まれた表示イメージは、表示処理回路１３において映像信号に変換され、映像切り替え回路６を介して映像出力回路７より出力される。この映像信号はＣＲＴに供給され、表示される。
【００４１】
次に、ステップＳ６に進み、水平スクロール処理部２２により、スクロールメモリ２１に設定する読み出し領域Ａの位置が、図２（ｃ）に示したように右に１ドット分だけずらされる。
【００４２】
次に、ステップＳ７において、読み出し領域Ａが、スクロールメモリ２１に記憶された表示イメージの範囲外にあるか否かが判定される。読み出し領域Ａが、スクロールメモリ２１に記憶された表示イメージの範囲外にはないと判定された場合、ステップＳ２に戻り、ステップＳ２乃至Ｓ７の処理が繰り返し実行される。これにより、例えば、図２（ｄ）および図２（ｅ）に示したように、読み出し領域Ａがスクロールメモリ２１上を移動し、読み出し領域Ａ内にある表示イメージが表示メモリ１２の所定の位置に書き込まれるため、図３の水平スクロール領域Ｆには、表示イメージがスクロールしながら表示されることになる。
【００４３】
一方、読み出し領域Ａが、スクロールメモリ２１に記憶された表示イメージの範囲外にあると判定された場合、処理を終了する。従って、この場合、スクロールメモリ２１内に記憶された表示イメージが、ＣＲＴ画面にスクロールされながら１度だけ表示されることになる。
【００４４】
図５に示したフローチャートは、スクロールメモリ２１に記憶させた表示イメージを、ＣＲＴ画面上の水平スクロール領域Ｆ内にスクロールさせながら表示させる場合の他の動作例を示している。
【００４５】
最初に、ステップＳ１１において、水平スクロール処理部２２により、図２（ｂ）に示すように、スクロールメモリ２１に読み出し領域Ａが設定される。このとき、スクロールメモリ２１の左端と読み出し領域Ａの左端が一致するように、読み出し領域Ａが設定される。
【００４６】
次に、ステップＳ１２に進み、水平スクロール処理部２２により、読み出し領域Ａの一部分がスクロールメモリ２１内の表示イメージの範囲を越えたか否かが判定される。読み出し領域Ａの一部分がスクロールメモリ２１内の表示イメージの範囲を越えていないと判定された場合、ステップＳ１３に進み、水平スクロール処理部２２により読み出し領域Ａ内の表示イメージが読み出される。一方、読み出し領域Ａの一部分がスクロールメモリ２１内の表示イメージの範囲を越えたと判定された場合、ステップＳ１４に進み、読み出し領域Ａ内の表示イメージが読み出され、読み出し領域Ａが表示イメージの範囲を越えた部分と同一の大きさの領域が、図４（ｆ）に示すように表示イメージの左端に戻って設定され、その部分の表示イメージが読み出される。
【００４７】
次に、ステップＳ１５に進み、水平スクロール処理部２２によってステップＳ１３またはステップＳ１４において読み出された表示イメージが、表示メモリ１２内に設定されたＣＲＴ画面の水平スクロール領域Ｆ（図３）に対応する所定の領域に書き込まれる。表示メモリ１２に書き込まれた表示イメージは、表示処理回路１３において映像信号に変換され、映像切り替え回路６を介して映像出力回路７より出力される。この映像信号はＣＲＴに供給され、対応する文字または図形が表示される。
【００４８】
次に、ステップＳ１６に進み、水平スクロール処理部２２により、スクロールメモリ２１に設定する読み出し領域Ａの位置が、図２（ｃ）に示したように右に１ドット分だけずらされる。
【００４９】
次に、ステップＳ１７において、読み出し領域Ａが、スクロールメモリ２１に記憶された表示イメージの範囲外にあるか否かが判定される。読み出し領域Ａが、スクロールメモリ２１に記憶された表示イメージの範囲外にはないと判定された場合、ステップＳ２に戻り、ステップＳ１２乃至Ｓ１７の処理が繰り返し実行される。
【００５０】
一方、読み出し領域Ａが、スクロールメモリ２１に記憶された表示イメージの範囲外にあると判定された場合、ステップＳ１８に進み、スクロールメモリ２１の左端に読み出し領域Ａの左端が一致するように、読み出し領域Ａが設定される。そして、ステップＳ１２に戻り、ステップＳ１２乃至Ｓ１８の処理が繰り返し実行される。
【００５１】
これにより、例えば、図２（ｄ）および図２（ｆ）に示したように、読み出し領域Ａがスクロールメモリ２１上を移動し、読み出し領域Ａ内にある表示イメージが水平スクロール処理部２２によって読み出され、表示メモリ１２の所定の位置に書き込まれる。表示メモリ１２に書き込まれた表示イメージは、表示処理回路１３において映像信号に変換され、映像切り替え回路６を介して映像出力回路７より出力される。この映像信号は所定のＣＲＴに供給される。
【００５２】
従って、図３に示したＣＲＴ画面の水平スクロール領域Ｆには、スクロールメモリ２１に記憶された表示イメージがスクロールしながら繰り返し表示されることになる。ここで、図２（ｄ）に示した図は、図２（ｂ）に示した図において、読み出し領域Ａを右に１３ドット分だけ移動した場合の例を示している。また、図２（ｆ）に示した図は、読み出し領域Ａの一部分がスクロールメモリ２１の表示イメージの範囲を越えたとき、その範囲を越えた部分が、表示イメージの左端に戻って設定された場合の例を示している。
【００５３】
図３に示したＣＲＴ画面の場合、文字放送デコーダ１から取り出された映像信号の文字図形イメージが表示されている文字放送画面Ｅ内の右上の所定の位置に、水平スクロール領域Ｆがあり、その領域内で文字放送番組についての情報（例えば、文字放送が放送されているテレビチャンネル番号、番組番号、ページ番号、および総ページ数など）が表示された場合の例を示している。
【００５４】
ここでは、図１に示したスクロールメモリ２１に記憶されている所定の文字または図形に対応する表示イメージのうち、図４（ｄ）で示した読み出し領域Ａ内の表示イメージが水平スクロール領域Ｆに表示されている。この水平スクロール領域Ｆは、図３に示したように文字放送画面Ｅ内に表示し、文字放送番組の表示イメージに重ねるようにすることもできるし、図６に示したように文字放送画面Ｅの外部の、表示イメージの範囲Ｄ内の所定の位置に、文字放送イメージに沿って表示するようにすることもできる。
【００５５】
水平スクロール領域Ｆに表示する内容に関しては、抜き取り回路９において文字放送データが抜き取れなくなった場合に、マイクロプロセッサ８が、例えば「文字放送が検出できません」という文字列を文字発生器１５を用いて文字イメージを発生させ、スクロールメモリ２１に書き込むことができる。スクロールメモリ２１に書き込まれた文字イメージは、表示処理回路１３およびそれを構成する水平スクロール処理部２２により上述したようにして、図３または図６に示した水平スクロール領域Ｆにスクロールしながら表示される。
【００５６】
このように、文字放送番組に関する情報のほかに、マイクロプロセッサ８が検出できる文字放送デコーダ１の動作状態に関する情報等もスクロール表示させることが可能である。
【００５７】
また、文字放送番組を表示しているとき、上述した場合と同様にして、マイクロプロセッサ８が文字放送受信機の動作状態を検出し、例えば「＞キーを押すと、次のページを見れます」というようなユーザに対するメッセージを、文字放送受信機の操作案内文字列イメージとしてスクロールメモリ２１に書き込むことにより、ユーザに対する操作案内も水平スクロール領域Ｆにスクロール表示することができる。
【００５８】
水平スクロール領域Ｆの画面上における表示位置は、スクロールメモリ２１のイメージを、表示メモリ１２のどの位置に書くかによって決まるが、図３に示したように文字放送番組の表示イメージを表示可能な文字放送画面Ｅ内の所定の位置に設定し、文字放送番組の表示イメージに重ねるようにすることも可能であるし、あるいは、図６に示したように文字放送番組の表示イメージを表示可能な文字放送画面Ｅの外側の所定の位置とし、文字放送番組の表示イメージに重ならないようにすることも可能である。
【００５９】
水平スクロール領域Ｆの大きさは、図２の例では縦１２ドット横６４ドットの領域であったが、その領域の大きさはスクロールメモリ２１の大きさに基づいて決めることができる。
【００６０】
以上のように、本実施例によれば、マイクロプロセッサ８がスクロールさせる文字列を文字発生器１５で文字イメージに変換し、スクロールメモリ２１に書き込み、水平スクロール処理部２２が、スクロールメモリ２１の一部のイメージを一定周期でずらしながら読み出し、読み出すたびに表示メモリ１２の特定の表示領域内に書き込むことによって、文字放送デコーダ１から取り出された映像信号の表示イメージ上に水平スクロール表示が可能になり、これにより文字放送受信機の映像信号出力から得られる画面からの情報を増加させることができ、操作性を向上させることが可能となる。
【００６１】
なお、上記実施例においては、文字放送を放送電波により受信する場合について説明したが、光ファイバケーブルや所定の通信回線、その他の伝送媒体を介して受信するようにすることも可能である。
【００６２】
また、上記実施例においては、表示イメージをＣＲＴに表示するようにしたが、液晶ディスプレイ、またはその他の表示デバイスに表示するようにすることも可能である。
【００６３】
【発明の効果】
請求項１に記載の情報表示装置によれば、文字放送番組の他に、文字放送番組に関する文字情報が表示部の所定のスクロール領域にスクロールして表示されるようにしたので、表示部に、文字放送番組を表示するとともに、そのスクロール領域に文字放送番組に関する文字情報を制限なく表示することができる。従って、表示部から得られる情報が増し、操作性を向上させることが可能となる。
【図面の簡単な説明】
【図１】本発明の文字放送受信機の一実施例の構成を示すブロック図である。
【図２】スクロールメモリ２１に書き込まれた文字イメージの例を示した図である。
【図３】図１の実施例において、水平スクロール領域Ｆを文字放送画面Ｅ上に設定した例を示す図である。
【図４】水平スクロール領域Ｆに所定の文字をスクロールさせながら表示させる場合の処理例を示すフローチャートである。
【図５】水平スクロール領域Ｆに所定の文字をスクロールさせながら表示させる場合の他の処理例を示すフローチャートである。
【図６】図１の実施例において、水平スクロール領域Ｆを文字放送画面Ｅの外側に設定した例を示す図である。
【図７】従来の文字放送受信機の構成を示すブロック図である。
【符号の説明】
１  文字放送デコーダ
２  アンテナ
３  選局回路
４  音声復調増幅回路
５  輝度増幅色復調回路
６  映像切り替え回路
７  映像出力回路
８  マイクロプロセッサ
９  抜き取り回路
１０  ＲＡＭ
１１  ＲＯＭ
１２  表示メモリ
１３  表示処理回路
１４  付加音デコーダ
１５  文字発生器
１６  音声切り替え回路
１７  音声出力回路
１８  パネルキー
１９  リモコン信号受信回路
２０  リモコン信号発生器
２１  スクロールメモリ（スクロール情報記憶部）
２２  水平スクロール処理部（スクロール領域設定手段、読み出し位置設定手段、読み出し手段）
２３  バス
【図１】
0003552125.tif 000002
【図２】
0003552125.tif 000003
【図３】
0003552125.tif 000004
【図４】
0003552125.tif 000005
【図５】
0003552125.tif 000006
【図６】
0003552125.tif 000007
【図７】
0003552125.tif 000008